(57)【特許請求の範囲】
【請求項１】
排水口に設けられる排水トラップであって、
上記排水口に連なる流路を備え、この流路は横方向に延びる軸線を中心とする螺旋状をなす螺旋路を含み、
横方向に延びる中心部材と、中心部材を取り囲む筒体と、中心部材と筒体との間に上記螺旋路を区画する螺旋状のフィンとをさらに備えることを特徴とする排水トラップ。
【請求項２】
請求項１において、上記中心部材と螺旋状のフィンとを一体成形したことを特徴とする排水トラップ。
【請求項３】
請求項１において、上記中心部材、螺旋状のフィン及び筒体を一体成形したことを特徴とする排水トラップ。
【請求項４】
請求項１，２又は３において、上記中心部材を筒体により形成し、この筒体の内部に別の螺旋路を区画するための中心部材及び螺旋状のフィンを収容してあることを特徴とする排水トラップ。
【請求項５】
請求項１ないし４の何れか一つにおいて、上記流路は、上記筒体の上流端を排水口に接続する上流側連結路と、筒体の下流端を下水側に接続する下流側連結路とをさらに含むこと特徴とする排水トラップ。
【請求項６】
請求項５において、上流側連結路及び下流側連結路の少なくとも一方に、蓋により開閉可能な掃除用開口を設けてあり、掃除用開口は筒体の延長上にあることを特徴とする排水トラップ。
【請求項７】
請求項１，２，４，５又は６において、上記フィン及び筒体の何れか一方を弾性体により形成し、フィンの外縁と筒体の内周面とを弾力的に密着させて両者間を封止してあることを特徴とする排水トラップ。
【請求項８】
請求項１，２，４，５又は６において、上記フィンの外縁と筒体の内周面との間にシール部材を介在させて両者間を封止してあることを特徴とする排水トラップ。
【請求項９】
請求項１ないし８の何れか一つにおいて、上記フィンは１巻以上２巻以下であることを特徴とする排水トラップ。
【請求項１０】
請求項１ないし９の何れか一つにおいて、上記中心部材の径を少なくとも５０ｍｍにしてあることを特徴とする排水トラップ。
【請求項１１】
請求項１ないし１０の何れか一つにおいて、上記中心部材を縦長の断面にしてあることを特徴とする排水トラップ。
【請求項１２】
請求項１ないし１１の何れか一つにおいて、上記中心部材は両端が封止された中空構造をなすことを特徴とする排水トラップ。
【請求項１３】
請求項１，２，４ないし１２の何れか一つに記載の排水トラップを製造する方法であって、外縁に沿って溝が形成されたフィンを筒体内に挿入した後、筒体の注入口からシール用の接着剤を注入してフィンの外縁の溝に充填することにより、フィンの外縁と筒体の内周面との間を封止することを特徴とする排水トラップの製造方法。
【請求項１４】
請求項１，２，４ないし１２の何れか一つに記載の排水トラップに用いられる流路形成部材であって、中心部材の周囲に螺旋状のフィンを形成してなることを特徴とする流路形成部材。
【発明の詳細な説明】
【０００１】
【発明の属する技術分野】
本発明は、流し台、洗面化粧台その他の水槽の排水口や、浴槽洗い場その他の防水パンの排水口や、石垣等で覆われた山斜面の排水口（水抜き孔）に設けられる排水トラップに関する。
【０００２】
【従来の技術】
例えば、流し台や洗面化粧台において、水槽の底部の排水口には、排水トラップが設けられている。排水トラップを設ける主な理由として、下記の１）〜３）がある。
１）下水側のパイプから異臭が上がってこないようにすること。
２）下水側のパイプからゴキブリやネズミ等の小動物が上がってこないようにすること。
３）ゴミ等の異物が下流側のパイプに詰まったりしないように、受け止めておくこと。
【０００３】
図１２は従来の一般的な排水トラップ構造Ａが適用された流し台Ｂを示すものである。図１２を参照して、シンク５０の排水口５１には下方に延びる本体筒５２が接続されている。この本体筒５２は環状をなす底部５３を有し、この底部５３の外周から高さのある外筒５４を立ち上げると共に、底部５３の内周から外筒５４の略半分の高さの内筒５５を立ち上げている。この内筒５５には、下方に開放する筒状の蓋５６が上から被せられている。蓋５６が内筒５５に被せられた状態で、内筒５５と蓋５６との間には本体筒５２内の水を内筒５５内に導くためのラビリンス状の流路が確保される。
【０００４】
このような構造では、内筒５５に蓋５６を被せた状態で、外筒５４と内筒５５との間に、常に内筒５５の高さ分だけの水５７（図１２においてハッチングを施してある）が溜められることになる。
内筒５５の上端と蓋５６の下端の間の高さが、いわゆる封水深に相当し、実際に仕切りのために寄与する。この封水深の水５７を介して、下水側と水槽側とが仕切られて、上記の１）〜３）の機能が果たされる一方、内筒５５を乗り越えてオーバーフローした水が下水側へ流されることになる。
【０００５】
【発明が解決しようとする課題】
しかしながら、従来の排水トラップ構造Ａでは、上下に延びる二重筒構造を用い、しかも、内筒５５に上から蓋５６を被せている関係上、排水トラップ構造Ａの高さが非常に高くなる。このため、例えば通常、流し台Ｂ等の下部に設けられる収納のためのスペースＳが狭くなるという問題がある。
また、外筒５５の径がかなり大きくなるので、外筒５４と内筒５５の間に溜められている水が空気に触れている面積が広く、このため、溜められている水が蒸発し易く、場合によっては、溜められている水の喫水線が蓋５６の下端以下になり、上記の１）〜３）の機能を全く果たせなくなるおそれもある。
【０００６】
本発明は上記課題に鑑みてなされたものであり、高さを低くすることができ、しかも、長期にわたってトラップ機能を維持できる排水トラップを提供することを目的とする。
【０００７】
【課題を解決するための手段及び発明の効果】
上記目的を達成するため、請求項１記載の発明は、排水口に設けられる排水トラップであって、上記排水口に連なる流路を備え、この流路は横方向に延びる軸線を中心とする螺旋状をなす螺旋路を含み、横方向に延びる中心部材と、中心部材を取り囲む筒体と、中心部材と筒体との間に上記螺旋路を区画する螺旋状のフィンとをさらに備えることを特徴とする排水トラップを提供するものである。
本発明では、横方向に延びる螺旋路内の高低差が堰（せき）として働くので、螺旋路内を満たしている排水が残存水として螺旋路内にとどまることになる。この残存水を介して、例えば水槽側と下水側とを仕切ることができ、臭気や小動物が下水から上がってくるのを防止すると共に、異物が下水側のパイプに流れ込むことを防止することができる。
【０００８】
そして、横方向に延びる螺旋路であれば、従来の上下に延びる二重筒構造の排水トラップと比較して、その高さを格段に低くすることができ、例えば流し台や洗面化粧台において、排水トラップの下方の収納スペースを上下に広く確保することができる。或いは、例えば浴槽洗い場等の防水パンの高さを低くでき、床面の段差等を少なくするという観点から、いわゆるバリアフリーにも貢献することができる。
【０００９】
また、螺旋路であれば、螺旋の径をそれほど大きくしなくても、実質的な封水深（封水長）を十分な大きさで確保することができる。また、螺旋路であれば、空気に触れる面積を狭くできるので、水の蒸発を抑えることができ、たとえ長期にわたって排水が流されなくても、トラップ効果を維持することができる。
特に、横方向に延びる中心部材と、中心部材を取り囲む筒体と、中心部材と筒体との間に上記螺旋路を区画する螺旋状のフィンとをさらに備えるので、筒体内に中心部材とフィンを収容するのみで、螺旋路を容易に形成して製造コストを安くすることができる。筒体としては、既存のパイプを用いることもでき、その場合、汎用性を高めることができると共に製造コストを安くすることができる。また、螺旋状のフィンを複数条設けて、二条ねじや三条ねじ等と同様の構成にしても良く、その場合、螺旋路も複数条設けられることになり、より高いトラップ効果を得ることができる。中心部材は中実であっても良いし、内部に流路、例えば螺旋路を区画する中空のものであっても良い。
【００１０】
請求項２記載の発明は、請求項１において、上記中心部材と螺旋状のフィンとを一体成形したことを特徴とするものである。本発明では、ねじ軸状をなす中心部材及びフィンを、例えば樹脂成形や鋳物成形等にて一体の部材を用いて容易に形成することができ、製造コストを一層安くすることができる。
請求項３記載の発明は、請求項１において、上記中心部材、螺旋状のフィン及び筒体を一体成形したことを特徴とするものである。本発明では、三者を例えば樹脂成形や鋳物成形等にて一体の部材を用いて容易に形成することができ、製造コストをより一層安くすることができる。
【００１１】
請求項４記載の発明は、請求項１，２又は３において、上記中心部材を筒体により形成し、この筒体の内部に別の螺旋路を区画するための中心部材及び螺旋状のフィンを収容してあることを特徴とするものである。本発明では、中心部材の内外に螺旋路を設けることができ、スペースをより有効に流路として、排水効率を高めることができる。また、中心部材内に溜まる排水は外部の温度の影響を受け難く、したがって、冬季の凍結を防止することができる。
【００１２】
請求項５記載の発明は、請求項１ないし４の何れか一つにおいて、上記流路は、上記筒体の上流端を排水口に接続する上流側連結路と、筒体の下流端を下水側に接続する下流側連結路とを含むさらに含むこと特徴とするものである。本発明では、例えばエルボ等により連結路を構成して、本排水トラップを流し台の排水口や下水側のパイプ等に容易に結合することができる。
請求項６記載の発明は、請求項５において、上流側連結路及び下流側連結路の少なくとも一方に、蓋により開閉可能な掃除用開口を設けてあり、掃除用開口は筒体の延長上にあることを特徴とするものである。本発明では、掃除用開口を通して筒体内の螺旋路の掃除を横方向から容易に実施することができる。
【００１３】
請求項７記載の発明は、請求項１，２，４，５，又は６において、上記フィン及び筒体の何れか一方を弾性体により形成し、フィンの外縁と筒体の内周面とを弾力的に密着させて両者間を封止してあることを特徴とするものである。本発明では、単に筒体内にフィンを突っ込むだけで、両者間を容易に封止することができ、製造コストを安くすることができる。
請求項８記載の発明は、請求項１，２，４，５，又は６において、フィンの外縁と筒体の内周面との間にシール部材を介在させて両者間を封止してあることを特徴とするものである。例えば、フィンの外縁に沿って形成した溝にパッキンその他の長尺のシール部材を収容することにより、フィンと筒体との間を確実に封止することができる。
【００１４】
請求項９記載の発明は、請求項１ないし８の何れか一つにおいて、上記フィンは１巻以上２巻以下であることを特徴とするものである。この範囲のフィンを用いれば、一般的に必要とされる封水深（封水長）を確保し、且ついわゆる二重トラップ現象を生じないレイアウトを容易に達成することができる点で好ましい。
請求項１０記載の発明は、請求項１ないし９の何れか一つにおいて、上記中心部材の径を少なくとも５０ｍｍにしてあることを特徴とするものである。この径の中心部材を用いると、一般的に必要とされる５０ｍｍ以上の封水深（封水長）を確実に確保することができる。
【００１５】
請求項１１記載の発明は、請求項１ないし１０の何れか一つにおいて、上記中心部材を縦長の断面にしてあることを特徴とするものである。本発明では、流量を変えずに封水深（封水長）を増大できるという利点がある。
請求項１２記載の発明は、請求項１ないし１１の何れか一つにおいて、上記中心部材は両端が封止された中空構造をなすことを特徴とするものである。本発明では、中心部材内に封入空気の断熱効果を利用して、冬季の凍結防止を図ることができる。
【００１６】
請求項１３記載の発明は、請求項１，２，４ないし１２の何れか一つに記載の排水トラップを製造する方法であって、外縁に沿って溝が形成されたフィンを筒体内に挿入した後、筒体の注入口からシール用の接着剤を注入してフィンの外縁の溝に充填することにより、フィンの外縁と筒体の内周面との間を封止することを特徴とするものである。本発明では、フィンを筒体内に挿入してから、筒体の注入口を通してフィンの溝に接着剤を封入することにより、容易にフィンと筒体との間を封止することができる。
【００１７】
請求項１４記載の発明は、請求項１，２，４ないし１２の何れか一つに記載の排水トラップに用いられる流路形成部材であって、中心部材の周囲に螺旋状のフィンを形成してなることを特徴とするものである。本発明では、例えば既存のパイプにフィン付きの中心部材を挿入することにより、容易に排水トラップを得ることができ、汎用性を高くできると共に製造コストを安くすることができる。
【００１８】
【発明の実施の形態】
本発明の好ましい実施の形態を添付図面を参照しつつ説明する。
図１は本発明の一実施の形態の排水トラップ１が適用された流し台２の模式的正面図である。図２は排水トラップの概略断面図である。
まず、図１を参照して、流し台２はシンク（水槽）３を備えており、シンク３の底には排水口４が設けられている。この排水口４に排水トラップ１が連結され、さらに、下水パイプ５が連結されている。また、シンク３の下方には、両開きの扉（図示せず）により前方へ開放可能な収納室６が設け、この収納室６内において排水トラップ１の下方に収納のためのスペースＳが設けられている１８は排水口４に設けられる格子状の蓋である。
【００１９】
図２を参照して、排水トラップ１は、エルボ等の曲がり状をなす連結管７と、この連結管７に連なって横方向（略水平方向）に延びる筒体８と、筒体８の下流端に連なり下水パイプ５に連結するための曲がり状の連結管９とを備えている。連結管９は下水パイプ５に一体に形成されていても良い。
排水トラップ１に備えられる流路Ｒは、連結管７内に形成される曲がり状の連結路Ｒａと、筒体８内に形成されて螺旋状をなす螺旋路Ｒｂと、連結管９内に形成される曲がり状の連結路Ｒｃとを備えている。螺旋路Ｒｂは横方向に延びる軸線Ｌを中心とする螺旋状をなしている。螺旋路Ｒｂは２条、３条、…等の複数条に形成されていても良い。
【００２０】
連結管７の上流端７ａは排水口４に連結され、連結管７ａの下流端７ｂは筒体８の上流端８ａに連結されている。筒体８の下流端８ｂは連結管９に連結されている。
筒体８内には、ねじ軸状をなす流路形成部材１０が収容され、この流路形成部材１０によって筒体８内に上記の螺旋路Ｒｂを形成している。流路形成部材１０は、筒体８内を同心状に延びる例えば断面円形をなす中心部材としての軸体１１と、この軸体１１の周囲を取り巻く螺旋状のフィン１２とにより構成されている。筒体８及びフィン１２の何れか一方は弾性を有するもので形成され、フィン１２が筒体８の内周に弾力的に密着することにより封止の役目を果たすと共に、軸体１１と筒体８との間に螺旋路Ｒｂを区画している。
【００２１】
なお、軸体１１とフィン１２とは別体に形成して互いに組み合わせるものとしても良いし、軸体１１とフィン１２とをねじ軸状の流路形成部材１０として一体に成形するようにしても良い。軸体１１の両端は排水の流れを良くするために流線形をなすことが好ましい。
連結路７の下流端７ｂには、例えば網や格子状板からなるフィルタ１３が配置されており、排水時に螺旋路Ｒｂ内へゴミ等の異物が流れ込むことを防止している。フィルタ１３は下水側から小動物が上がってくることを防止する働きもしている。フィルタ１３は図２に示すように、連結管７の段付き部１４に当てて位置決めするようにしても良いし、筒体８の端部に当てて位置決めするようにしても良い。フィルタ１３に形成される貫通孔１７は、図３に示すように軸線Ｌを中心とする同心円状に配置されることが、水の流れを良くするうえで好ましい。
【００２２】
連結管７，９の少なくとも一方には、通常は蓋１５により閉じられていて所要時に開放される掃除用開口１６を設けてある。掃除用開口１６は筒体８の軸線Ｌの延長上に設けられ、所要時に開放して、螺旋路Ｒｂの掃除を実施するためのものである。掃除用開口１６は筒体８よりも大径であることが掃除をし易くするうえで好ましい。
本実施の形態によれば、横方向に延びる螺旋路Ｒｂ内の高低差がせきとして働くので、図４に示すように、螺旋路Ｒｂ内の排水が残留水Ｗとして溜められることになり、この残留水Ｗを介して、上流のシンク３側と下流の下水パイプ５側とを仕切ることができ、臭気や小動物が下水から上がってくるのを防止すると共に、異物が下水パイプ５に流れ込むことを防止することができる。図４において、Ｗａは喫水線であり、螺旋路Ｒｂ内において軸体１１の頂部にまで達しているので、十分に長い封水深Ｈが得られる。
【００２３】
フィン１２の巻き数としては、１巻き以上で２巻き以下の範囲が好ましい。１巻未満では、トラップのための残留水Ｗを溜めることができないが、１巻きの場合、フィン１２は軸体１１の頂部から始まり頂部に達するものとすれば、トラップのための残留水Ｗを溜めることができる。また、２巻きを超えると、一般的に禁止されている二重トラップになるおそれがあり、好ましくない。２巻きの場合、フィン１２が軸体１１の側部中央から側部中央まで達することが、二重トラップ現象を防止しつつ十分な封水量を確保するうえで好ましい。
【００２４】
できるだけ小型でしかも十分な封水深（５０ｍｍ〜１００ｍｍ）を確保する最適な構成としては、軸体１１の直径を５０ｍｍとし、フィン１２が軸体１１の最下部から始まって頂部に至る１．５巻きとすることである。
ただし、軸体１１の直径を５０ｍｍよりも大きくして（例えば５０〜１００ｍｍ）、フィン１２の巻き数を１巻き以上１．５巻き未満とする構成や、軸体１１の直径を５０ｍｍよりも小さくして（例えば３０〜５０ｍｍ）、フィン１２の巻き数を１．５巻きを超えて２巻き未満とする構成を採用することもできる。何れにしろ、少なくとも５０ｍｍの封水深を確保できれば良い。
【００２５】
また、横方向に延びる螺旋路Ｒｂであれば、上下に延びる二重筒構造の従来の排水トラップＡ（図１２参照）と比較して、十分な封水長を確保しつつ、その高さを非常に低くすることができ、流し台２の収納室６において、排水トラップ１の下方の収納スペースＳを上下に広く確保することができる。
また、従来の上下に延びる二重筒構造の排水トラップＡの場合、封水量を変更するには、カップ径の変更を余儀なくされたが、本実施の形態では、上記の範囲で巻き数を変更するだけで筒体８の径を変更をすることなく、封水量を自在に調整することができる。
【００２６】
また、筒体８内に軸体１１とフィン１２を収容するのみで、螺旋路Ｒｂを容易に形成して製造コストを安くすることができる。特に、軸体１１とフィン１２を一体成形する場合は、例えば樹脂成形や鋳物成形にて、ねじ軸状のものを容易に形成することができ、製造コストを一層安くすることができる。
なお、上記の実施の形態では、フィルタ１３と筒体８を弾力的に結合して、両者の間をシールしたが、これに限らず、例えば、図５に示すように、フィン１２の外縁に沿って形成した溝１９内に例えば丸形断面や角形断面のシール部材２０を収容し、シール部材２０によって、フィン１２と筒体８の内周との間をシールするようにしても良い。
【００２７】
また、図６（ａ）に示すように、外縁に沿って溝２１が形成されたフィン１２を筒体８内に挿入し、次いで、図６（ｂ）に示すように、筒体８に形成される１ないし複数の注入口２２からシール用の接着剤２３を注入してフィン１２の外縁の溝２１に充填し、フィン１２の外縁と筒体８の内周面との間を封止するようにしても良い。この場合、容易にフィン１２と筒体８との間を封止することができる。
【００２８】
また、図７に示すように、中心部材として軸体に代えて筒体１１Ａを用い、その内部に小型の軸体１１及び螺旋状のフィン１２を含む流路形成部材１０Ａを挿入して、筒体１１Ａの内外に螺旋路Ｒｂを設けるようにしても良く、この場合、スペースをより有効に流路として利用でき、排水効率を高めることができる点で好ましい。また、中心部材としての筒体１１Ａに溜まる排水が凍結し難い。
また、例えば、図８に示すように、螺旋路Ｒｂを螺旋状のパイプ２４内に形成するようにしても良い。
【００２９】
また、図９（ａ）〜（ｆ）に示すように、断面縦長形状をなす軸体１１Ｂを中実ないし中空として用いることができる。例えば楕円形〔図９（ａ），（ｂ）〕や長円形〔図９（ｃ），（ｄ）〕や略矩形〔図９（ｅ），（ｆ）〕の断面のものを用いることができる。これらの場合、排水の流量を変えずに封水深を増大できるという利点がある。
また、図１０に示すように、中空状の軸体１１Ｃの両端を例えば合成樹脂製等のキャップ２５で封止したものを用いると、内部に封入される空気の断熱性により、冬季の凍結防止を図ることができる。
【００３０】
また、図１１に示すように、軸体１１、フィン１２及び筒体８を一体の部材で形成することもできる。この場合、例えば樹脂成形や鋳物成形にて三者を一体成形すれば良く、三者の組立工程を省略できることから製造コストを格段に安くすることができる。また、強度的にも優れている。
その他、本発明の範囲で種々の変更を施すことができる。
【図面の簡単な説明】
【図１】本発明の一実施の形態の排水トラップが適用された流し台の模式的正面図である。
【図２】排水トラップの概略断面図である。
【図３】フィルタの正面図である。
【図４】排水トラップの要部の断面図である。
【図５】本発明の別の実施の形態の排水トラップの要部の断面図である。
【図６】（ａ）及び（ｂ）は本発明のさらに別の実施の形態の排水トラップの製造方法を順次に示す概略断面図である。
【図７】本発明のさらに別の実施の形態の排水トラップの要部の断面図である。
【図８】本発明のさらに別の実施の形態の排水トラップの概略図である。
【図９】（ａ）〜（ｆ）は本発明のさらに別の実施の形態の中心部材としての軸体の断面図である。
【図１０】本発明のさらに別の実施の形態の軸体の断面図である。
【図１１】本発明のさらに別の実施の形態の排水トラップの要部の断面図である。
【図１２】従来の排水トラップが適用された流し台の模式的正面図である。
【符号の説明】
１    排水トラップ                    ２    流し台
３    シンク                          ４    排水口
５    下水パイプ                      ６    収納室
７，９    連結管                      ８，１１Ａ  筒体
８ａ  上流端                          ８ｂ  下流端
Ｒ    流路                            Ｒａ  連結路
Ｒｂ  螺旋路                          Ｒｃ  連結路
Ｌ    軸線                            Ｗ    残存水
１０，１０Ａ  流路形成部材            １１，１１Ｂ，１１Ｃ  軸体
１２  フィン                          １３  フィルタ
１５  蓋                              １６  掃除用開口
１９  溝                              ２０  シール部材
２１  溝                              ２２  注入口
２３  接着剤                          ２４  螺旋パイプ
２５  キャップ
【図１】
0003773826.tif 000002
【図２】
0003773826.tif 000003
【図３】
0003773826.tif 000004
【図４】
0003773826.tif 000005
【図５】
0003773826.tif 000006
【図６】
0003773826.tif 000007
【図７】
0003773826.tif 000008
【図８】
0003773826.tif 000009
【図９】
0003773826.tif 000010
【図１０】
0003773826.tif 000011
【図１１】
0003773826.tif 000012
【図１２】
0003773826.tif 000013